(57)【要約】【課題】選定したガッタパーチャポイントの先端径を患歯の根尖口に一致させることで、より精度の高い根管充填を可能とする。【解決手段】基板にそれぞれ径が異なる複数の挿通孔を貫設し、当該基板の片面には前記挿通孔ごとに径の大きさを示す指標を設ける一方、前記基板の裏面には前記挿通孔から突出するガッタパーチャポイントの先端部分を切断可能な刃を設けた。挿通孔は環状配列されると共に、その中心を回転軸として刃を旋回可能に設けた。挿通孔は基板の裏面から片面に向かって拡径するテーパ状に設けられると共に、指標は前記挿通孔の基板裏面側の口径を示す。【選択図】図１
2010246592.tif 000002
【特許請求の範囲】
【請求項１】
基板にそれぞれ径が異なる複数の挿通孔を貫設し、当該基板の片面には前記挿通孔ごとに径の大きさを示す指標を設ける一方、前記基板の裏面には前記挿通孔から突出するガッタパーチャポイントの先端部分を切断可能に旋回する刃を設けたことを特徴とするガッタパーチャポイントの先端径調整用カッタ。
【請求項２】
挿通孔は環状配列されると共に、その中心に刃の回転軸を設けた請求項１記載のガッタパーチャポイントの先端径調整用カッタ。
【請求項３】
挿通孔は基板の裏面から片面に向かって拡径するテーパ状に設けられると共に、指標は前記挿通孔の基板裏面側の口径を示す請求項１または２記載のガッタパーチャポイントの先端径調整用カッタ。
【請求項４】
基板の片面には、さらに長さ計測用の目盛を設けた請求項１、２または３記載のガッタパーチャポイントの先端径調整用カッタ。
【発明の詳細な説明】
【技術分野】
【０００１】
この発明は、垂直加圧法に則してガッタパーチャポイントを根管に充填するに際し、予め前記ガッタパーチャポイントの先端径を患歯の根尖口に見合った太さに切断することができる歯科用器具に関する。
【背景技術】
【０００２】
感染根管等の治療では、抜髄後、根管を必要に応じて拡大した後、所定の歯科用充填材を充填する。使用する充填材は、大別して、初期に糊状の粘性を有し経時的に硬化するものと、初期にゴム様の硬度を有し加熱あるいは溶剤によって軟化し、冷却によって再度硬化するものがある。前者の充填材は、シリンジを用いて根管に充填され、その粘性によって充填密度を高めることができるが、硬化に時間がかかることなどから、現在、後者の充填材による根管充填が主流である。
【０００３】
より具体的には、後者の充填材はガッタパーチャ（ｇｕｔｔａ  ｐｅｒｃｈａ、独名：グッタペルカ）と称され、形状は先鋭の針状をなし、炎であぶる他、ユーカリ油に浸漬することで軟化させることができる。また、このガッタパーチャポイントを用いた根管充填法には、水平加圧法と垂直加圧法がある。水平加圧法は、側方加圧法とも称され、根管に複数本のポイントを束状に密に挿入するもので、比較的容易に施術することができるが、ポイント間に隙間が生じやすく、充填密度を高めることが困難である。これに対して、垂直加圧法は、オピアンキャリア法とも称され、根管にポイントを垂直（縦）に詰め込んでいくもので、水平加圧法に比べて充填密度が高まるため、確実に根管を充填することができる。
【０００４】
しかしながら、従来の垂直加圧法は、ガッタパーチャポイントの先端を根管口に合わせにくく、これを正確に行うには経験や勘に頼っていた。また、ガッタパーチャポイントは非常に細く脆いため、根管口との軸がずれたままポイントを挿入しようとすると、容易に折れ曲がったり破損する。さらに、軽い軸ずれの場合は、ポイントの軟化部分が根管の内壁に付着して、それ以降の充填が困難となる問題もあった。特に、患歯が奥歯の場合、根管口を真上から直視できないため、ポイント先端の位置合わせはより困難を極める。
【０００５】
このような垂直加圧法の問題を解決するものとして、ガッタパーチャポイントを挿入保持する中空細管状の支持管に突き線を摺動自在に挿入してなる根管充填器が既に提案されている（特許文献１、２）。これらの根管充填器は、支持管の先端にガッタパーチャポイントを保持し、当該先端を根管口に位置合わせしてから突き線を押し込み操作するので、比較的正確にガッタパーチャポイントを根管に充填することができる。このような垂直加圧法の問題を解決するものとして、先端にガッタパーチャポイントを挿入保持する中空細管状の支持管に突き線を摺動自在に挿入してなる根管充填器が既に提案されている。これらの根管充填器は、前記支持管の先端にガッタパーチャポイントを保持した後、当該先端を根管口に位置合わせしてから突き線を押し込み操作するので、比較的性格にガッタパーチャポイントを根管に充填することができる。
【先行技術文献】
【特許文献】
【０００６】
【特許文献１】実開昭６２−１５２７０８号公報
【特許文献２】実開昭６３−１５１１１５号公報
【発明の概要】
【発明が解決しようとする課題】
【０００７】
ところで、ガッタパーチャポイントは患歯の根管に応じて幾つかの太さのものが用意されており、施術者は適正なサイズのガッタパーチャポイントを選定して根管充填を行う。通常、抜髄時の根管拡径に用いたリーマやファイルと同じか若しくは一番手上のサイズのガッタパーチャポイントを選定するが、ガッタパーチャポイントは先鋭であるため、根管の太さや深さによっては先端が根管の根尖口（根管の歯茎側の開口）から突出する場合があり、好ましくない。また、どの程度、ガッタパーチャポイントの先端が突出するかを施術前に正確に把握することができないため、予めガッタパーチャポイントの長さ調節も正確に行えず、根充後に余剰部分を除去するという手間も生じる。
【０００８】
さらに、ガッタパーチャポイントは十分の一ミリ以下のオーダーで太さが規格されているが、若干の誤差が許容されているため、施術前に使用するガッタパーチャポイントの径を正確に計測しておくことが精度の高い根充という観点から好ましいものである。
【０００９】
本発明は上述した課題に鑑みなされたもので、その目的とするところは要するに、選定したガッタパーチャポイントの先端径を患歯の根尖口に一致させることで、より精度の高い根管充填を可能とすることである。
【課題を解決するための手段】
【００１０】
上述した目的を達成するために本発明では、基板にそれぞれ径が異なる複数の挿通孔を貫設し、当該基板の片面には前記挿通孔ごとに径の大きさを示す指標を設ける一方、前記基板の裏面には前記挿通孔から突出するガッタパーチャポイントの先端部分を切断可能に旋回する刃を設けるという手段を用いた。
【００１１】
当該手段によれば、垂直加圧法に即して選定したガッタパーチャポイントの先端を基板の片面から目的の挿通孔に通し、基板の裏面側に突出したガッタパーチャポイントの先端部分を刃で切断することで、その先端径を目的の大きさに調整する。挿通孔は例えば３０〜６０番手までは５番刻み、６０〜９０番手までは１０番刻みというように、予想される根尖口の大きさごとに複数が貫設され、指標は挿通孔ごとに当該番手を示す。
【００１２】
また、挿通孔を環状配列すると共に、その中心に刃の回転軸を設けることで、ガッタパーチャポイントの切断作業が容易となる。
【００１３】
さらに、挿通孔を基板の裏面から片面に向かって拡径するテーパ状に設けることで、当該挿通孔に対するガッタパーチャポイントの挿通作業が容易となる。
【００１４】
なお、基板の片面には、さらに長さ計測用の目盛を設けることがあり、この場合、この目盛によって別途患歯に試適した根管充填器の根管に対する挿入深さを計測することで、その計測値をガッタパーチャポイントの長さを決定するのに用いることができる。
【発明の効果】
【００１５】
本発明によれば、根管充填前に予めガッタパーチャポイントの先端を患歯の根尖口に応じた径に調整することができるため、当該ガッタパーチャポイントが根尖口から突出することなく根管を密に充填することができる。また、ガッタパーチャポイントの先端径が根尖口と一致するため、別途根管長を計測しておくことで、予めガッタパーチャポイントの長さ調整も正確且つ容易に行うことができ、施術後にガッタパーチャポイントの余剰分を除去するといった手間も生じない。さらに、本発明カッタの挿通孔はガッタパーチャポイントの径を計測したり判定する器具としても使用できる。
【００１６】
挿通孔を環状配列し、その中心を回転軸として刃を旋回可能に設けたものにあっては、刃の切断操作が容易となる。また、挿通孔をテーパ状とすることで、該挿通孔に対するガッタパーチャポイントの挿通作業が容易となる。さらに、長さ計測用の目盛を設けたものにあっては、ガッタパーチャポイントを直接または別途根管充填器の根管に対する挿入長を計測することで、先端径の調整が終わったガッタパーチャポイントをさらに根管長に見合った長さに調整することが容易である。
【図面の簡単な説明】
【００１７】
【図１】本発明の一実施形態に係るカッタの片面を示した平面図
【図２】同カッタの裏面を示した平面図
【図３】図１のＡ−Ａ線断面図
【発明を実施するための形態】
【００１８】
以下、本発明の好ましい実施の形態を添付した図面に従って説明する。図１・２は本発明カッタの片面・裏面をそれぞれ示す平面図であって、図中、１は円形の基板、２…２は基板１の中心を軸に環状配列の状態で複数を貫設した挿通孔、３は基板の片面（表面）に設けた挿通孔ごとの径を示す指標、４は基板１の裏面に設けた旋回刃であって、基板１（挿通孔群）の中心を回転軸として図中の矢印方向に旋回可能に設けたものである。また、符号４ａは基板１の側面から突出する指の掛け部であり、指で刃４を旋回操作するためのものである。なお、刃４は基板１の裏面に密接しており（図３参照）、基板１の裏面に密接した状態で旋回する。
【００１９】
挿通孔２…２は、それぞれ径が異なっており、本実施形態の場合、３０〜６０番手までは５番刻み、６０〜９０番手までは１０番刻みの径として、合計１０個を設けており、指標３は挿通孔ごとにそれぞれの番手を示している。なお、挿通孔２…２は、根尖口に見合った複数の径を用意すればよく、番手やその数は本実施形態に限定されない。
【００２０】
当該カッタによれば、基板１の片面側からガッタパーチャポイントを目的の挿通孔２に挿通し、基板１の裏面側に挿通孔２から突出するガッタパーチャポイントの先端部分を刃４を旋回させることで、当該ポイントの先端径を目的の径に調整することができる。従って、先端径調節後のガッタパーチャポイントを使用すれば、ポイント先端が根尖口から突出することなく、確実に根管を充填することができる。
【００２１】
なお、挿通孔２は基板１の貫通範囲で均一な径に設けることも可能であるが、図３に示すように、基板１の裏面から片面に向かって拡開するテーパ状（すり鉢状）とすることで、ガッタパーチャポイントを該挿通孔２に挿通しやすくなる。この場合、挿通孔２は基板１の片面と裏面で径が異なることになるが、裏面側の口径を使用径として、当該口径に見合った指標３を設ける。
【００２２】
さらに、本実施形態では、基板１の片面に長さ計測用の目盛５を設けている。これは、別途、根管充填器を患歯の根管に試適した際に、当該充填器の根管に対する挿入長を計測するものである。具体的には、根管充填器はガッタパーチャポイントを内部に挿入保持する細管状の保持部を備え、当該保持部には根管の根管口（歯冠側の開口）に当接するリング状のストッパが摺動可能に設けられ、前記試適の際、根管充填器の前記保持部を根管に挿入して前記ストッパによって当該挿入位置を記録する。当該試適後に、根管充填器の先端からストッパまでの長さを本発明カッタの前記目盛５で計測するのである。そして、根管長からこの計測値を差し引いた長さにガッタパーチャポイントに切断すれば、当該ポイントによって余剰分が生ずることなく根管を充填することができる。
【００２３】
こうした目的をより確実に達成するため、本実施形態では、目盛５に沿って根管充填器の前記細管状保持部が係合する横溝６を平行して設けている。また、横溝６の一端には目盛５の始点（０点）に相当して前記リング状ストッパが係合する縦溝７を形成している。従って、根管充填器のストッパを縦溝７に係合させた状態で前記保持部を横溝６に係合することで、根管充填器の先端からストッパまでの距離を正確に計測することが可能である。
【００２４】
なお、上記実施形態では基板１に対して複数の挿通孔２…２を円を描くように環状配列したが、その配列は当該実施形態に限定されず、例えば、行や列として直線的に配列しても良い。この場合、刃は旋回可能に設けるのではなく、挿通孔の行または列に沿ってスライド可能に設ける。また、基板１の形状も円形に限らず、長方形、楕円形その他の形状であってもよい。
【符号の説明】
【００２５】
１  基板
２…２  挿通孔
３  指標
４  刃
【図１】
2010246592.tif 000003
【図２】
2010246592.tif 000004
【図３】
2010246592.tif 000005